(57)【要約】【課題】配電線の引き込み線から伝って雨水を建物の側壁内部に侵入することを抑制できる配電線の引き込み装置を提供することである。【解決手段】配電線から引き出された電線（引き込み線）１１の配線方向を変えて需要家の屋内に引き込む引き込み用留具１２を引張部材１３で電線方向に引張し、引張部材１３を需要家の建家の側壁１４に掛止する掛止部１５は、一方端に引張部材１３を張架するフック部１９、他方端に需要家の建家の側壁１４にねじ込まれるネジ部２０、フック部１９とネジ部２０との間にフランジ部２１を有するフック取付ネジ１６と、フック取付ネジ１６のネジ部２０側にフランジ部２１に当接して設けられた山座金１７と、山座金１７に当接して設けられフック取付ネジ１６のネジ部２０を需要家の建家の側壁１４にねじ込んだとき側壁１４に当接するフェルトパッキン１８とから構成される。【選択図】  図１
2012029500.tif 000002
【特許請求の範囲】
【請求項１】
配電線から引き出された電線の配線方向を変えて需要家の屋内に引き込むための引き込み用留具と、
前記引き込み用留具を前記配電線から引き出された電線方向に引張する引張部材と、
前記引張部材を需要家の建家の側壁に掛止する掛止部とを備え、
前記掛止部は、
一方端に前記引張部材を張架するフック部を有し、他方端に需要家の建家の側壁にねじ込まれるネジ部を有し、フック部とネジ部との間にフランジ部を有したフック取付ネジと、
前記フック取付ネジのネジ部側にフランジ部に当接して設けられた山座金と、
前記山座金に当接して設けられ前記フック取付ネジのネジ部を前記需要家の建家の側壁にねじ込んだとき前記側壁に当接するフェルトパッキンとからなることを特徴とする配電線の引き込み装置。
【発明の詳細な説明】
【技術分野】
【０００１】
本発明は、配電線を需要家の建物に引き込むための配電線の引き込み装置に関する。
【背景技術】
【０００２】
例えば、架空配電線を需要家の建物に引き込む際には、建物側に平型がいし用留具や引込み用留具を取付け、平型がいし用留具や引込み用留具で配電線から引き出された電線の配線方向を変えて需要家の屋内に引き込むようにしている。そして、平型がいし用留具や引込み用留具を建家の側壁に取り付けられたフック取付ネジにて掛止するようにしている。
【０００３】
電線を建物に引き込む引込線引留具として、平板を円弧状に折り曲げた巻付け部分と、平板を反対側に折返して形成した折返し部分とを有し、そのまま巻付け部分に半巻して張力調整し、折返し部分で折返して弛みを防止して引込線を引き留めし、建造物に固定されている引留用フックに係合させるようにしたものがある（例えば、特許文献１参照）。
【先行技術文献】
【特許文献】
【０００４】
【特許文献１】特開２００１−３７０５４号公報
【発明の概要】
【発明が解決しようとする課題】
【０００５】
しかし、配電線の引き込み方向とフック取付ネジのねじ込み方向が同じ方向である場合、引き込み線を伝って雨水がフック取付ネジのねじ込み箇所から建物の側壁内部に進入する恐れがある。特に、建物の側壁が木材である場合には、木材に侵入した雨水により側壁が腐食し、配電線の引き込みに支障を来すことがある。
【０００６】
本発明の目的は、配電線の引き込み線から伝って雨水を建物の側壁内部に侵入することを抑制できる配電線の引き込み装置を提供することである。
【課題を解決するための手段】
【０００７】
本発明の請求項１の発明に係る配電線の引き込み装置は、配電線から引き出された電線の配線方向を変えて需要家の屋内に引き込むための引き込み用留具と、前記引き込み用留具を前記配電線から引き出された電線方向に引張する引張部材と、前記引張部材を需要家の建家の側壁に掛止する掛止部とを備え、前記掛止部は、一方端に前記引張部材を張架するフック部を有し、他方端に需要家の建家の側壁にねじ込まれるネジ部を有し、フック部とネジ部との間にフランジ部を有したフック取付ネジと、前記フック取付ネジのネジ部側にフランジ部に当接して設けられた山座金と、前記山座金に当接して設けられ前記フック取付ネジのネジ部を前記需要家の建家の側壁にねじ込んだとき前記側壁に当接するフェルトパッキンとからなることを特徴とする。
【発明の効果】
【０００８】
請求項１の発明によれば、フック取付ネジのフック部とネジ部との間のフランジ部に当接して山座金を設け、山座金の内部に需要家の建家の側壁に当接するようにフェルトパッキンを設け、フック取付ネジのネジ部を需要家の建家の側壁にねじ込み、フック取付ネジのフック部に引張部材を張架するので、引き込み線及び引張部材を伝って雨水がフック取付ネジのねじ込み箇所に伝わってきても、まず、フランジ部で雨水の浸入を抑制し、フランジ部を乗り越えた雨水は山座金で跳ね返すことができる。
【０００９】
そして、山座金には、側壁に当接してフェルトパッキンが設けられているので、山座金で跳ね返すことができなかった雨水があったとしても、フェルトパッキンにより側壁内部に進入することを防止できる。従って、配電線の引き込み線を伝って流れる雨水が建物の側壁内部に侵入することを抑制できる。これにより、フック取付ネジのねじ込み箇所が雨水により腐食することを防止できる。
【図面の簡単な説明】
【００１０】
【図１】本発明の実施形態に係る配電線の引き込み装置の構成図。
【図２】本発明の実施形態における掛止部の分解斜視図。
【図３】本発明の実施形態における掛止部の斜視図。
【発明を実施するための形態】
【００１１】
以下、本発明の実施形態を説明する。図１は本発明の実施形態に係る配電線の引き込み装置の構成図である。配電線から引き出された電線（引き込み線）１１は引き込み用留具１２に係合され、配線方向を変えて需要家の建家屋内に引き込まれる。図１では単相二線の引き込み線１１が引き込まれた場合を示している。
【００１２】
引き込み用留具１２は、引張部材１３により配電線から引き出された引き込み線１１の方向に引張され、引張部材１３は、建家の側壁１４に設けられた掛止部１５のフック取付ネジ１６に掛止される。フック取付ネジ１６は山座金１７及びフェルトパッキン１８を介して建家の側壁１４に取り付けられている。これにより、引き込み線１１は配電線から配線方向を変えて需要家の屋内に引き込まれる。
【００１３】
図２は掛止部１５の分解斜視図であり、図２（ａ）はフック取付ネジ１６の斜視図、図２（ｂ）は山座金１７の斜視図、図２（ｃ）はフェルトパッキン１８の斜視図である。また、図３は掛止部１５の斜視図である。図２に示すように、掛止部１５は、フック取付ネジ１６と、山座金１７と、フェルトパッキン１８とから構成される。
【００１４】
フック取付ネジ１６は、図２（ａ）に示すように、一方端に引張部材１３を張架するフック部１９を有し、このフック部１９に引張部材１３が掛けられ引張部材１３を掛止する。また、フック取付ネジ１６は、他方端に需要家の建家の側壁１４にねじ込まれるネジ部２０を有し、フック部１９とネジ部２０との間にフランジ部２１を有している。
【００１５】
山座金１７は、図２（ｂ）に示すように、中心部にフック取付ネジ１６のネジ部２０を貫通する貫通孔２２を有し、図３に示すように、フック取付ネジ１６のネジ部２０を貫通しフランジ部２１に当接してフック取付ネジ１６に取り付けられる。
【００１６】
フェルトパッキン１８は、図２（ｃ）に示すように、中心部にフック取付ネジ１６のネジ部２０を貫通する貫通孔２３を有し、図３に示すように、フック取付ネジ１６のネジ部２０を貫通して取り付けた後に、フック取付ネジ１６のネジ部２０を貫通し山座金１７に当接してフック取付ネジ１６に取り付けられる。フェルトパッキン１８は、防水性を有する弾性体であり、例えば、建築屋根材（ルーフデッキ）をタイトフレームに固定する場合に使用しているものを使用する。
【００１７】
フック取付ネジ１６のネジ部２０が建家の側壁１４にねじ込まれたとき、フェルトパッキン１８が山座金１７と側壁１４との間に挟持され、ネジ部２０のねじ込み箇所を覆って、雨水が側壁１４の内部に進入することを防止する。
【００１８】
すなわち、フック取付ネジ１６のネジ部２０が建家の側壁１４にねじ込まれた状態では、フック部１９側から見て、フランジ部２１、山座金１７、フェルトパッキン１８、側壁１４のネジ部２０のねじ込み箇所の順序での位置となる。従って、引き込み線１１、引き込み用留具１２及び引張部材１３を伝わって来た雨水は、まず、フック取付ネジ１６のフック部１９に伝わりフランジ部２１に至る。そして、フランジ部２１で雨水を跳ね返し、残りの雨水はフランジ部２１を乗り越える。フランジ部２１を乗り越えた雨水は山座金１７で跳ね返される。
【００１９】
そして、山座金１７には、側壁１４に当接してフェルトパッキン１８が設けられているので、山座金で跳ね返すことができなかった雨水があったとしても、フェルトパッキン１８により側壁１４の内部に進入することを防止できる。従って、配電線の引き込み線１１を伝って流れる雨水が建物の側壁１４の内部に侵入することを抑制できる。これにより、フック取付ネジ１６のねじ込み箇所が雨水により腐食することを防止できる。
【００２０】
このように、フック取付ネジ１６のフランジ部２１の側壁１４側に山座金１７とフェルトパッキン１８とを挟むことで防水性を図る。これにより、側壁側の形状により、フック取付ネジ１６のネジ部２０のねじ込み方向が引張部材１３の張力方向軸上になる場合があっても、引張部材１３を伝って雨水がフック取付ネジ１６のネジ部２０のねじ込み箇所から側壁１４の内部に進入することを防止できる。
【符号の説明】
【００２１】
１１…引き込み線、１２…引き込み用留具、１３…引張部材、１４…側壁、１５…掛止部、１６…フック取付ネジ、１７…山座金、１８…フェルトパッキン、１９…フック部、２０…ネジ部、２１…フランジ部、２２…貫通孔、２３…貫通孔
【図１】
2012029500.tif 000003
【図２】
2012029500.tif 000004
【図３】
2012029500.tif 000005